(57)【要約】【課題】デジタル放送を基盤にしたステレオスコピック映像情報送信方法及び装置を提供する。【解決手段】本発明に係るステレオスコピック映像情報送信方法は、ストリームタイプ情報を含むシグナリングテーブルを構成するステップ及びシグナリングテーブル情報と映像データ情報を含む前記映像情報を送信するステップを含む。本発明によると、多様な形態のステレオスコピック映像サービスが提供されることができる。
2013545344.tif 000002
【特許請求の範囲】
【請求項１】
デジタル放送を基盤にしたステレオスコピック(ｓｔｅｒｅｏｓｃｏｐｉｃ)映像情報送信方法であって、
ステレオスコピック映像サービス方式を指示する情報を含むストリームタイプ(ｓｔｒｅａｍ ｔｙｐｅ)情報を含むシグナリングテーブル(ｓｉｇｎａｌｉｎｇ ｔａｂｌｅ)を構成するステップ；及び、
前記シグナリングテーブル情報及び映像データ情報を含む前記映像情報を送信するステップ；を含み、
前記ストリームタイプ情報は、サービス−コンパーティブル(ｓｅｒｖｉｃｅ−ｃｏｍｐａｔｉｂｌｅ)ベースのステレオスコピック映像に含まれる付加映像のストリームタイプを含むステレオスコピック映像情報送信方法。
【請求項２】
前記シグナリングテーブルは、ＰＳＩのＰＭＴ(Ｐｒｏｇｒａｍ Ｍａｐ Ｔａｂｌｅ)、ＰＳＩＰのＶＣＴ(Ｖｉｒｔｕａｌ Ｃｈａｎｎｅｌ Ｔａｂｌｅ)又はＰＳＩＰのＥＩＴ(Ｅｖｅｎｔ Ｉｎｆｏｒｍａｔｉｏｎ Ｔａｂｌｅ)である請求項１に記載のステレオスコピック映像情報送信方法。
【請求項３】
前記シグナリングテーブルは、現在提供される放送サービスのタイプが２Ｄ(モノスコピック)放送サービスか３Ｄ放送サービスかを指示する情報を含む請求項１に記載のステレオスコピック映像情報送信方法。
【請求項４】
前記シグナリングテーブルは、前記デジタル放送で提供されるプログラムタイプを指示する情報を含むプログラムレベルディスクリプタを含み、
前記現在提供される放送サービスのタイプが２Ｄ(モノスコピック)放送サービスか３Ｄ放送サービスかを指示する情報は、前記プログラムレベルディスクリプタ内で定義される請求項３に記載のステレオスコピック映像情報送信方法。
【請求項５】
前記シグナリングテーブルは、現在ストリーム(ｓｔｒｅａｍ)が左映像に対応するストリームか右映像に対応するストリームかを指示する情報を含む請求項１に記載のステレオスコピック映像情報送信方法。
【請求項６】
前記シグナリングテーブルは、前記映像データを構成する基本ストリーム(Ｅｌｅｍｅｎｔａｒｙ Ｓｔｒｅａｍ)の特性を指示する情報を含むストリームレベルディスクリプタを含み、
前記現在ストリーム(ｓｔｒｅａｍ)が左映像に対応するストリームか右映像に対応するストリームかを指示する情報は、前記ストリームレベルディスクリプタ内で定義される請求項５に記載のステレオスコピック映像情報送信方法。
【請求項７】
前記シグナリングテーブルは、現在ストリームが基準映像に対応するストリームか付加映像に対応するストリームかを指示する情報を含む請求項１に記載のステレオスコピック映像情報送信方法。
【請求項８】
前記シグナリングテーブルは、前記映像データを構成する基本ストリーム(Ｅｌｅｍｅｎｔａｒｙ Ｓｔｒｅａｍ)の特性を指示する情報を含むストリームレベルディスクリプタを含み、
前記現在ストリームが基準映像に対応するストリームか付加映像に対応するストリームかを指示する情報は、前記ストリームレベルディスクリプタ内で定義される請求項７に記載のステレオスコピック映像情報送信方法。
【請求項９】
デジタル放送を基盤にしたステレオスコピック(ｓｔｅｒｅｏｓｃｏｐｉｃ)映像情報送信装置であって、
ステレオスコピック映像サービス方式を指示する情報を含むストリームタイプ(ｓｔｒｅａｍ ｔｙｐｅ)情報を含むシグナリングテーブル(ｓｉｇｎａｌｉｎｇ ｔａｂｌｅ)を構成する映像情報生成部；及び、
前記シグナリングテーブル情報及び映像データ情報を含む前記映像情報を送信する送信部；を含み、
前記ストリームタイプ情報は、サービス−コンパーティブル(ｓｅｒｖｉｃｅ−ｃｏｍｐａｔｉｂｌｅ)ベースのステレオスコピック映像に含まれる付加映像のストリームタイプを含むステレオスコピック映像情報送信装置。
【請求項１０】
前記シグナリングテーブルは、現在提供される放送サービスのタイプが２Ｄ(モノスコピック)放送サービスか３Ｄ放送サービスかを指示する情報を含む請求項９に記載のステレオスコピック映像情報送信装置。
【請求項１１】
前記シグナリングテーブルは、前記デジタル放送で提供されるプログラムタイプを指示する情報を含むプログラムレベルディスクリプタを含み、
前記現在提供される放送サービスのタイプが２Ｄ(モノスコピック)放送サービスか３Ｄ放送サービスかを指示する情報は、前記プログラムレベルディスクリプタ内で定義される請求項１０に記載のステレオスコピック映像情報送信装置。
【請求項１２】
前記シグナリングテーブルは、現在ストリーム(ｓｔｒｅａｍ)が左映像に対応するストリームか右映像に対応するストリームかを指示する情報を含む請求項９に記載のステレオスコピック映像情報送信装置。
【請求項１３】
前記シグナリングテーブルは、前記映像データを構成する基本ストリーム(Ｅｌｅｍｅｎｔａｒｙ Ｓｔｒｅａｍ)の特性を指示する情報を含むストリームレベルディスクリプタを含み、
前記現在ストリーム(ｓｔｒｅａｍ)が左映像に対応するストリームか右映像に対応するストリームかを指示する情報は、前記ストリームレベルディスクリプタ内で定義される請求項１２に記載のステレオスコピック映像情報送信装置。
【請求項１４】
前記シグナリングテーブルは、現在ストリームが基準映像に対応するストリームか付加映像に対応するストリームかを指示する情報を含む請求項９に記載のステレオスコピック映像情報送信装置。
【請求項１５】
前記シグナリングテーブルは、前記映像データを構成する基本ストリーム(Ｅｌｅｍｅｎｔａｒｙ Ｓｔｒｅａｍ)の特性を指示する情報を含むストリームレベルディスクリプタを含み、
前記現在ストリームが基準映像に対応するストリームか付加映像に対応するストリームかを指示する情報は、前記ストリームレベルディスクリプタ内で定義される請求項１４に記載のステレオスコピック映像情報送信装置。
【発明の詳細な説明】
【技術分野】
【０００１】
本発明は、デジタル放送に関し、より詳しくは、ステレオスコピック映像情報の送信方法及び装置に関する。
【背景技術】
【０００２】
３Ｄ映像を利用したデジタル放送サービスは、ＵＤＴＶサービスと共に、ＨＤＴＶに続く次世代放送サービスとして注目を浴びており、高画質の商用ステレオスコピックディスプレーのリリースなどのような関連技術の発達に基づき、各家庭で３Ｄ映像を楽しむことができる３ＤＴＶサービスが数年内に提供されると予想される。
【０００３】
現在商用サービス又は試験サービスされている３Ｄ放送サービスは、主に左映像及び右映像で構成されるステレオスコピックビデオを利用したサービスである。また、ステレオスコピックビデオサービス方式として、サイド−バイ−サイド(ｓｉｄｅ−ｂｙ−ｓｉｄｅ)、トップアンドボトム(ｔｏｐ ａｎｄ ｂｏｔｔｏｍ)などのフォーマットを利用して左/右映像を一つの画面で製作して符号化して送信するフレーム−コンパーティブル(ｆｒａｍｅ ｃｏｍｐａｔｉｂｌｅ)方式及び左/右映像を別に符号化して送信するサービス−コンパーティブル(ｓｅｒｖｉｃｅ ｃｏｍｐａｔｉｂｌｅ)方式などが使われることができる。
【０００４】
デジタル放送に関するプロトコルには、例えば、ＰＳＩＰ(Ｐｒｏｇｒａｍａｎｄ Ｓｙｓｔｅｍ Ｉｎｆｏｒｍａｔｉｏｎ Ｐｒｏｔｏｃｏｌ)などがある。ＰＳＩＰは、基本的にＭＰＥＧシステムのＰＳＩ(Ｐｒｏｇｒａｍ Ｓｐｅｃｉｆｉｃ Ｉｎｆｏｒｍａｔｉｏｎ)と類似の構成を有する。ＰＳＩＰ又はＰＳＩは、同一な目的を有するテーブル(ｔａｂｌｅ)の集合からなり、各テーブルは、複数のセクション(ｓｅｃｔｉｏｎ)に分けられて送信されることができる。
【発明の概要】
【発明が解決しようとする課題】
【０００５】
本発明の技術的課題は、多様な形態のステレオスコピック映像サービスを提供することができるステレオスコピック映像情報送信方法を提供することにある。
【０００６】
本発明の他の技術的課題は、多様な形態のステレオスコピック映像サービスを提供することができるステレオスコピック映像情報送信装置を提供することにある。
【課題を解決するための手段】
【０００７】
本発明の一実施形態は、デジタル放送を基盤にしたステレオスコピック(ｓｔｅｒｅｏｓｃｏｐｉｃ)映像情報送信方法である。前記方法は、ステレオスコピック映像サービス方式を指示する情報を含むストリームタイプ(ｓｔｒｅａｍ ｔｙｐｅ)情報を含むシグナリングテーブル(ｓｉｇｎａｌｉｎｇ ｔａｂｌｅ)を構成するステップ及び前記シグナリングテーブル情報及び映像データ情報を含む前記映像情報を送信するステップを含み、前記ストリームタイプ情報は、サービス−コンパーティブル(ｓｅｒｖｉｃｅ−ｃｏｍｐａｔｉｂｌｅ)ベースのステレオスコピック映像に含まれる付加映像のストリームタイプを含む。
【０００８】
前記シグナリングテーブルは、ＰＳＩのＰＭＴ(Ｐｒｏｇｒａｍ Ｍａｐ Ｔａｂｌｅ)、ＰＳＩＰのＶＣＴ(Ｖｉｒｔｕａｌ Ｃｈａｎｎｅｌ Ｔａｂｌｅ)又はＰＳＩＰのＥＩＴ(Ｅｖｅｎｔ Ｉｎｆｏｒｍａｔｉｏｎ Ｔａｂｌｅ)である。
【０００９】
前記シグナリングテーブルは、現在提供される放送サービスのタイプが２Ｄ(モノスコピック)放送サービスか３Ｄ放送サービスかを指示する情報を含む。
【００１０】
前記シグナリングテーブルは、前記デジタル放送で提供されるプログラムタイプを指示する情報を含むプログラムレベルディスクリプタを含み、前記現在提供される放送サービスのタイプが２Ｄ(モノスコピック)放送サービスか３Ｄ放送サービスかを指示する情報は、前記プログラムレベルディスクリプタ内で定義される。
【００１１】
前記シグナリングテーブルは、現在ストリーム(ｓｔｒｅａｍ)が左映像に対応するストリームか右映像に対応するストリームかを指示する情報を含む。
【００１２】
前記シグナリングテーブルは、前記映像データを構成する基本ストリーム(Ｅｌｅｍｅｎｔａｒｙ Ｓｔｒｅａｍ)の特性を指示する情報を含むストリームレベルディスクリプタを含み、前記現在ストリーム(ｓｔｒｅａｍ)が左映像に対応するストリームか右映像に対応するストリームかを指示する情報は、前記ストリームレベルディスクリプタ内で定義される。
【００１３】
前記シグナリングテーブルは、現在ストリームが基準映像に対応するストリームか付加映像に対応するストリームかを指示する情報を含む。
【００１４】
前記シグナリングテーブルは、前記映像データを構成する基本ストリーム(Ｅｌｅｍｅｎｔａｒｙ Ｓｔｒｅａｍ)の特性を指示する情報を含むストリームレベルディスクリプタを含み、前記現在ストリームが基準映像に対応するストリームか付加映像に対応するストリームかを指示する情報は、前記ストリームレベルディスクリプタ内で定義される。
【００１５】
本発明の他の実施形態は、デジタル放送を基盤にしたステレオスコピック(ｓｔｅｒｅｏｓｃｏｐｉｃ)映像情報送信装置である。前記装置は、ステレオスコピック映像サービス方式を指示する情報を含むストリームタイプ(ｓｔｒｅａｍ ｔｙｐｅ)情報を含むシグナリングテーブル(ｓｉｇｎａｌｉｎｇ ｔａｂｌｅ)を構成する映像情報生成部及び前記シグナリングテーブル情報及び映像データ情報を含む前記映像情報を送信する送信部を含み、前記ストリームタイプ情報は、サービス−コンパーティブル(ｓｅｒｖｉｃｅ−ｃｏｍｐａｔｉｂｌｅ)ベースのステレオスコピック映像に含まれる付加映像のストリームタイプを含む。
【００１６】
前記シグナリングテーブルは、現在提供される放送サービスのタイプが２Ｄ(モノスコピック)放送サービスか３Ｄ放送サービスかを指示する情報を含む。
【００１７】
前記シグナリングテーブルは、前記デジタル放送で提供されるプログラムタイプを指示する情報を含むプログラムレベルディスクリプタを含み、前記現在提供される放送サービスのタイプが２Ｄ(モノスコピック)放送サービスか３Ｄ放送サービスかを指示する情報は、前記プログラムレベルディスクリプタ内で定義される。
【００１８】
前記シグナリングテーブルは、現在ストリーム(ｓｔｒｅａｍ)が左映像に対応するストリームか右映像に対応するストリームかを指示する情報を含む。
【００１９】
前記シグナリングテーブルは、前記映像データを構成する基本ストリーム(Ｅｌｅｍｅｎｔａｒｙ Ｓｔｒｅａｍ)の特性を指示する情報を含むストリームレベルディスクリプタを含み、前記現在ストリーム(ｓｔｒｅａｍ)が左映像に対応するストリームか右映像に対応するストリームかを指示する情報は、前記ストリームレベルディスクリプタ内で定義される。
【００２０】
前記シグナリングテーブルは、現在ストリームが基準映像に対応するストリームか付加映像に対応するストリームかを指示する情報を含む。
【００２１】
前記シグナリングテーブルは、前記映像データを構成する基本ストリーム(Ｅｌｅｍｅｎｔａｒｙ Ｓｔｒｅａｍ)の特性を指示する情報を含むストリームレベルディスクリプタを含み、前記現在ストリームが基準映像に対応するストリームか付加映像に対応するストリームかを指示する情報は、前記ストリームレベルディスクリプタ内で定義される。
【発明の効果】
【００２２】
本発明に係るステレオスコピック映像情報送信方法によると、多様な形態のステレオスコピック映像サービスが提供されることができる。
【００２３】
本発明に係るステレオスコピック映像情報送信装置によると、多様な形態のステレオスコピック映像サービスが提供されることができる。
【図面の簡単な説明】
【００２４】
【図１】本発明の一実施例に係るステレオスコピック映像情報の送信方法を概略的に示すフローチャートである。
【図２】デジタル放送サービスのためのＰＭＴ構造の一実施例を示す図面である。
【図３】本発明によって追加されるストリームタイプ構成の一実施例を概略的に示す図面である。
【図４】フレーム−コンパーティブルベースのステレオスコピック映像サービスに使われるディスクリプタ構造の一実施例を概略的に示す図面である。
【図５】フレーム−コンパーティブルベースのステレオスコピック映像サービスに使われるディスクリプタ構造の他の実施例を概略的に示す図面である。
【図６】サービス−コンパーティブルベースのステレオスコピック映像サービスに使われるディスクリプタ構造の一実施例を概略的に示す図面である。
【図７】サービス−コンパーティブルベースのステレオスコピック映像サービスに使われるディスクリプタ構造の他の実施例を概略的に示す図面である。
【図８】本発明の一実施例に係るステレオスコピック映像情報送信装置を概略的に示すブロック図である。
【発明を実施するための形態】
【００２５】
以下、図面を参照して本発明の実施形態に対して具体的に説明する。本明細書の実施例を説明するにあたり、関連した公知構成又は機能に対する具体的な説明が本明細書の要旨を不明にすると判断される場合にはその詳細な説明は省略する。
【００２６】
一構成要素が他の構成要素に“連結されている”又は“接続されている”と言及された場合、その他の構成要素に直接的に連結されていたり、接続されていたりすることもできるが、中間に他の構成要素が存在することもできると理解されなれればならない。また、本発明において、特定構成を“含む”と記述する内容は、該当構成以外の構成を排除するものではなく、追加的な構成が本発明の実施又は本発明の技術的思想の範囲に含まれることができることを意味する。
【００２７】
第１、第２などの用語は、多様な構成要素を説明するときに使われることができるが、前記構成要素は、前記用語により限定されてはならない。前記用語は、一つの構成要素を他の構成要素から区別する目的にのみ使われる。例えば、本発明の権利範囲を外れない限り、第１の構成要素は第２の構成要素と命名することができ、同様に、第２の構成要素も第１の構成要素と命名することができる。
【００２８】
また、本発明の実施例に示す構成部は、互いに異なる特徴的な機能を示すために独立的に図示されるものであり、各構成部が分離されたハードウェアや一つのソフトウェア構成単位からなることを意味しない。即ち、各構成部は、説明の便宜上、それぞれの構成部に羅列して含むものであり、各構成部のうち少なくとも二つの構成部が統合されて一つの構成部からなり、又は一つの構成部が複数個の構成部に分けられて機能を遂行することができ、このような各構成部の統合された実施例及び分離された実施例も本発明の本質から外れない限り本発明の権利範囲に含まれる。
【００２９】
また、一部の構成要素は、本発明で本質的な機能を遂行する必須な構成要素ではなく、単に性能を向上させるための選択的構成要素であってもよい。本発明は、単に性能向上のために使われる構成要素を除外した本発明の本質を具現するための必須な構成部のみを含んで具現されることができ、単に性能向上のために使われる選択的構成要素を除外した必須構成要素のみを含む構造も本発明の権利範囲に含まれる。
【００３０】
図１は、本発明の一実施例に係るステレオスコピック映像情報の送信方法を概略的に示すフローチャートである。図１の実施例に係るステレオスコピック映像情報送信方法は、デジタル放送ベースのステレオスコピック(ｓｔｅｒｅｏｓｃｏｐｉｃ)映像サービスに適用されることができる。
【００３１】
ステレオスコピック映像サービスには多様な方式があり、例えば、フレーム−コンパーティブル(ｆｒａｍｅ−ｃｏｍｐａｔｉｂｌｅ(ｆｒａｍｅ−ｐａｃｋｉｎｇ))方式、サービス−コンパーティブル(ｓｅｒｖｉｃｅ−ｃｏｍｐａｔｉｂｌｅ)方式及びフレーム−コンパーティブル−コンパーティブル(ｆｒａｍｅ−ｃｏｍｐａｔｉｂｌｅ−ｃｏｍｐａｔｉｂｌｅ)方式などがステレオスコピック映像サービスのために使われることができる。
【００３２】
フレーム−コンパーティブル方式は、一つのフレーム内に左/右映像を全部含んで符号化、送信するステレオスコピック映像サービス方式である。フレーム−コンパーティブル方式に使われる映像フォーマットには多様な類型があり、例えば、映像フォーマットにはサイドバイサイド(ｓｉｄｅ ｂｙ ｓｉｄｅ)フォーマット、トップアンドダウン(ｔｏｐ ａｎｄ ｄｏｗｎ)フォーマット、チェックボード(ｃｈｅｃｋ ｂｏａｒｄ)フォーマットなどがある。
【００３３】
フレーム−コンパーティブル方式では既存２Ｄ放送などに使われる既存媒体、放送装備及び端末を使用して映像情報の送/受信が可能である。しかし、既存の２Ｄ端末を介した映像情報の受信、再生の場合には、一画面に左/右映像が同時に半ずつ再生されるため、既存の２Ｄ放送と同一な形態の２Ｄ映像が再生されない場合がある。
【００３４】
サービス−コンパーティブル方式は、既存の２Ｄ端末でも既存の２Ｄ放送と同一な形態の２Ｄ映像視聴を可能にするステレオスコピック映像サービス方式である。例えば、サービス−コンパーティブル方式では左/右映像が各々別のストリームに符号化されて送信されることができる。この時、左映像及び右映像のうち、一つは基準(ｂａｓｅ)映像といい、他の一つは付加(ａｄｄｉｔｉｏｎａｌ)映像といい、基準映像に対しては既存２Ｄ放送で使われる符号化方式が使われることができる。一実施例として、基準映像はＭＰＥＧ−２ビデオ符号化方式を介して符号化されて送信されることができ、付加映像はＡＶＣ等を介して符号化されて送信されることができる。サービス−コンパーティブル方式が使われる場合のステレオスコピック映像サービスは、既存の２Ｄ媒体又は２Ｄ放送と互換性を維持することができる。
【００３５】
フレーム−コンパーティブル−コンパーティブル方式は、フレーム−コンパーティブル方式で提供される映像ストリームと共に別のエンハンスメントストリーム(ｅｎｈａｎｃｅｍｅｎｔ ｓｔｒｅａｍ)を提供することで、映像の解像度(ｒｅｓｏｌｕｔｉｏｎ)を高めるステレオスコピック映像サービス方式である。この時、前者の映像ストリーム及び後者のエンハンスメントストリームは、各々、基準フレーム−コンパーティブルストリーム及び付加フレーム−コンパーティブルストリームと呼ばれることができる。
【００３６】
フレーム−コンパーティブル−コンパーティブル方式が使われる場合のステレオスコピック映像サービスは、フレーム−コンパーティブル方式により提供される３Ｄディスプレーと互換性を維持することができ、フレーム−コンパーティブル方式に比べて向上した解像度のステレオスコピック映像を提供することができる。
【００３７】
図１の実施例に係るステレオスコピック映像情報の送信方法は、前述した多様な方式のステレオスコピック映像サービスに適用されることができる。
【００３８】
図１を参照すると、ステレオスコピック映像情報送信装置は、シグナリングテーブルを構成する(Ｓ１１０)。前記シグナリングテーブルでは、映像情報受信装置で映像データを受信して映像を再現するために使われる情報、例えば、プログラムタイプを指示する情報、映像データを構成する符号化ストリームの特性を指示する情報などが定義される。
【００３９】
映像データを受信して映像を再現するために使われる情報及び/又はプロトコルには、例えば、ＰＳＩ、ＰＳＩＰなどがある。
【００４０】
ＰＳＩは、ＭＰＥＧ−２でＴＳ(Ｔｒａｎｓｐｏｒｔ Ｓｔｒｅａｍ)の逆多重化及び映像情報再現に必要な情報をテーブル形式に含むメタデータを意味する。映像情報受信装置は、例えば、基本ストリーム(ＥＳ；Ｅｌｅｍｅｎｔａｒｙ Ｓｔｒｅａｍ)の転換、チャネル選択などに必要なＴＳパケットの判別のためにＰＳＩ情報を参照することができる。
【００４１】
一実施例として、ＰＳＩは、ＰＡＴ(Ｐｒｏｇｒａｍ Ａｓｓｏｃｉａｔｉｏｎ Ｔａｂｌｅ)、ＣＡＴ(Ｃｏｎｄｉｔｉｏｎａｌ Ａｃｃｅｓｓ Ｔａｂｌｅ)、ＰＭＴ(Ｐｒｏｇｒａｍ Ｍａｐ Ｔａｂｌｅ)及びＮＩＴ(Ｎｅｔｗｏｒｋ Ｉｎｆｏｒｍａｔｉｏｎ Ｔａｂｌｅ)などのようなテーブルを含むことができる。特に、ＰＭＴは、一つのプログラムを構成するプログラム要素(ｅｌｅｍｅｎｔ)及び/又はプログラム内の映像データを構成する映像ストリームに関する情報などを含むことができる。
【００４２】
ＰＳＩＰは、デジタル放送に関するプロトコルであり、送信ストリームの各チャネルに対する情報を送信するために使われる通信プロトコルである。ＰＳＩＰは、時間情報を伝達するＳＴＴ(Ｓｙｓｔｅｍ Ｔｉｍｅ Ｔａｂｌｅ)、送信テーブルを管理するＭＧＴ(Ｍａｓｔｅｒ Ｇｕｉｄｅ Ｔａｂｌｅ)、仮想チャネル情報を提供するＶＣＴ(Ｖｉｒｔｕａｌ Ｃｈａｎｎｅｌ Ｔａｂｌｅ)及び各プログラム情報を提供するＥＩＴ(Ｅｖｅｎｔ Ｉｎｆｏｒｍａｔｉｏｎ Ｔａｂｌｅ)などを含むことができる。ＰＳＩＰは、ＰＳＩと類似の構成を有することができる。
【００４３】
前記シグナリングテーブルは、ＰＳＩのＰＭＴ及び/又はＰＳＩＰのＶＣＴ又はＥＩＴである。シグナリングテーブルに含まれている各情報は、ＰＭＴのストリームタイプ(ｓｔｒｅａｍ_ｔｙｐｅ)及び/又はディスクリプタ(ｄｅｓｃｒｉｐｔｏｒ)で定義されてもよく、ＶＣＴのストリームタイプ(ｓｔｒｅａｍ_ｔｙｐｅ)及び/又はディスクリプタ(ｄｅｓｃｒｉｐｔｏｒ)で定義されてもよく、ＥＩＴのディスクリプタ(ｄｅｓｃｒｉｐｔｏｒ)で定義されてもよい。また、ＰＳＩＰとＰＳＩは、類似の構成を有することができるため、以下のシグナリングテーブルは、便宜上、ＰＭＴを中心に叙述される。
【００４４】
デジタル放送のためのＰＭＴの構成及びこれに含まれる情報の詳細は後述する。
【００４５】
また、図１を参照すると、ステレオスコピック映像情報提供装置は、構成されたシグナリングテーブル情報及び映像データ情報を含む映像情報を映像情報受信装置に送信する(Ｓ１２０)。
【００４６】
図２は、デジタル放送サービスのためのＰＭＴ構造の一実施例を示す図面である。
【００４７】
ＰＭＴは、デジタル放送で提供されるプログラムタイプを指示する情報が定義されるプログラムレベルディスクリプタ(ｐｒｏｇｒａｍ ｌｅｖｅｌ ｄｅｓｃｒｉｐｔｏｒ)、映像データを構成する基本ストリーム(ＥＳ：Ｅｌｅｍｅｎｔａｒｙ Ｓｔｒｅａｍ)の特性を指示する情報が定義されるストリームレベルディスクリプタ(ｓｔｒｅａｍ ｌｅｖｅｌ ｄｅｓｃｒｉｐｔｏｒ)及び/又はストリームタイプ(ｓｔｒｅａｍ_ｔｙｐｅ)などを含むことができる。ＰＭＴは、プログラムの識別のための情報及び符号化ストリームの特性に関する情報などを提供することができる。以下、プログラムレベルディスクリプタ及びストリームレベルディスクリプタを総称してディスクリップと呼ぶ。
【００４８】
図２を参照すると、プログラムレベルディスクリプタは、ＰＭＴ構文内で‘イ’部分に位置することができ、ストリームレベルディスクリプタは、ＰＭＴ構文内で‘ロ’部分に位置することができる。
【００４９】
図３は、本発明によって追加されるストリームタイプ構成の一実施例を概略的に示す図面である。
【００５０】
ストリームタイプ(ｓｔｒｅａｍ_ｔｙｐｅ)は、符号化ストリームのコーデックタイプを定義するときに使われることができるが、ステレオスコピック映像サービスの形態及び/又は方式を識別するために使われることもできる。ステレオスコピック映像サービスは、フレーム−コンパーティブル方式、サービス−コンパーティブル方式及びフレーム−コンパーティブル−コンパーティブル方式などを使用して提供されることができるため、ステレオスコピック映像サービスがどのような方式に提供されるかを区別するために図３の実施例で定義されたストリームタイプが使われることができる。
【００５１】
図３の実施例を参照すると、フレーム−コンパーティブルベースのステレオスコピック映像サービスのための符号化ストリームタイプには０×９０の値が割り当てられ、サービス−コンパーティブルベースのステレオスコピック映像サービスのための付加映像のストリームタイプには０×９１の値が割り当てられることができる。ここで、それぞれのストリームタイプに割り当てられた値(ｖａｌｕｅ)は、０×９０、０×９１等に限らず、設定によって異なるように決められることができる。
【００５２】
図３の実施例のように、新たなストリームタイプが設定される場合、既存受信機は新たなストリームタイプを認識することができない。したがって、新たなストリームタイプの設定は、既存受信機で新たなストリームタイプに対応する映像が再生されないようにすることができるという長所を有する。
【００５３】
他の実施例として追加されるストリームタイプは、サービス方式に関する情報だけでなく、具体的なコーデックタイプに関する情報を含むこともできる。この時、使われるサービス方式が同一な場合にも、使われるコーデックタイプが異なる場合には、互いに異なるストリームタイプが使われなければならない。しかし、この場合にはディスクリプタにコーデックタイプを示す情報が定義されない場合がある。
【００５４】
また、他の実施例として、ステレオスコピック映像サービスに対して新たなストリームタイプの割当無しに既存のストリームタイプが利用されることができる。この場合にもディスクリプタにコーデックタイプを示す情報が定義されないない場合がある。ディスクリプタにコーデックタイプを示す情報が定義される場合の実施例は後述する。
【００５５】
図４は、フレーム−コンパーティブルベースのステレオスコピック映像サービスに使われるディスクリプタ構造の一実施例を概略的に示す図面である。フレーム−コンパーティブルベースのステレオスコピック映像サービスは、図３の実施例でストリームタイプの値が０×９０である場合に該当する。フレーム−コンパーティブル方式のサービスが提供される場合、図４の実施例に係るディスクリプタを介して映像の形態、構成などが識別されることができる。
【００５６】
以下、本発明の実施例に係るディスクリプタは、その名称に限定されるものではなく、これと同一又は類似の役割を遂行するディスクリプタは、本発明の権利範囲に属するということができる。
【００５７】
また、以下、ディスクリプタに含まれているそれぞれの構文要素(ｓｙｎｔａｘ ｅｌｅｍｅｎｔ)は、フィールド(ｆｉｅｌｄ)という。以下、本発明の実施例で定義されるフィールドは、その名称に限定されるものではなく、同一又は類似の情報を指示するフィールドであれば、本発明の思想に含まれることができる。また、本発明で定義されたフィールドは、全部使われるべきではなく、必要によって、使われてもよく、使われなくてもよい。
【００５８】
図４の実施例を参照すると、ディスクリプタは、現在提供される放送サービスのタイプが２Ｄ(モノスコピック)放送サービスか３Ｄ放送サービスかを指示する情報を含むことができる。一実施例として、前記情報を示すためにディスクリプタ内にｓｔｅｒｅｏＭｏｎｏ_ｓｅｒｖｉｃｅ_ｆｌａｇというフィールドが定義される。
【００５９】
２Ｄ放送サービスと３Ｄ放送サービスを区別するためには、現在プログラムが２Ｄ放送プログラムか３Ｄ放送プログラムかを指示する情報が要求される。現在プログラムが２Ｄ(モノスコピック)放送プログラムか３Ｄ放送プログラムか及び/又は現在提供される放送サービスのタイプが２Ｄ(モノスコピック)放送サービスか３Ｄ放送サービスかは、前記実施例に係るｓｔｅｒｅｏＭｏｎｏ_ｓｅｒｖｉｃｅ_ｆｌａｇにより区別されることができ、図３の実施例で定義されたストリームタイプ又は関連ディスクリプタの存在有無によっても区別されることができる。２Ｄ放送サービスと３Ｄ放送サービスを区別するための情報は、例えば、２Ｄ放送と３Ｄ放送が時間によって混用されるサービスなどに使われることができる。
【００６０】
また、ディスクリプタは、ステレオスコピック映像を構成する映像フォーマットのタイプを示す情報を含むことができる。即ち、前記情報によって、サイドバイサイド(ｓｉｄｅ ｂｙ ｓｉｄｅ)、トップアンドダウン(ｔｏｐ ａｎｄ ｄｏｗｎ)及びレフト/ライトビューシーケンス(ｌｅｆｔ/ｒｉｇｈｔ ｖｉｅｗ ｓｅｑｕｅｎｃｅ)などの映像フォーマットのうちいずれの映像フォーマットが使われるかを判別されることができる。一実施例として、前記情報を示すためにディスクリプタ内にＳｔｅｒｅｏｓｃｏｐｉｃ_ｃｏｍｐｏｓｉｔｉｏｎ_ｔｙｐｅというフィールドが定義される。
【００６１】
ディスクリプタは、左右映像の位置を示す情報及び/又は現在映像が基準映像か付加映像かを示す情報を含むことができる。一実施例として、前記情報を示すためにディスクリプタ内にＬＲ_ｆｉｒｓｔというフィールドが定義される。前記フィールドは、映像フォーマットによって多様な形態の情報を示すことができる。以下の表１は、構文要素の値及び映像フォーマットに係る左右映像位置情報割当の一実施例を示す。
【００６２】
【表１】
2013545344.tif 000003
【００６３】
表１を参照すると、サイドバイサイドフォーマットが使われ、ＬＲ_ｆｉｒｓｔ値が１の場合、３次元映像フレームの左側領域に左映像、右側領域に右映像が位置することができる。またサイドバイサイドフォーマットが使われ、ＬＲ_ｆｉｒｓｔ値が０の場合、３次元映像フレームの左側領域に右映像、右側領域に左映像が位置することができる。
【００６４】
トップアンドダウンフォーマットが使われ、ＬＲ_ｆｉｒｓｔ値が１の場合、３次元映像フレームの上段領域に左映像、下段領域に右映像が位置することができる。また、トップアンドダウンフォーマットが使われ、ＬＲ_ｆｉｒｓｔ値が０の場合、３次元映像フレームの上段領域に右映像、下段領域に左映像が位置することができる。
【００６５】
ディスクリプタは、符号化及び復号化実行のためのコーデックタイプを示す情報を含むこともできる。ストリームタイプでステレオスコピック映像サービスのためのコーデックタイプが定義されない場合、ディスクリプタにコーデックタイプに関する情報が含まれることができる。図３の実施例で詳述したように、この場合にもストリームタイプはステレオスコピック映像サービスの形態を識別するために使われることができる。前記情報を示すためにディスクリプタ内にＣｏｄｅｃＴｙｐｅというフィールドが定義される。
【００６６】
図４の実施例に係るディスクリプタは、例えば、図２のＰＭＴ構文内で‘ロ’部分に位置することができる。この時、前記ディスクリプタは、ストリームレベルディスクリプタと呼ばれることもある。本発明の実施例で定義されるディスクリプタは、前述した情報を含みながら多様な形態を有することができ、それぞれの実施例に示す形態に限定されるものではない。
【００６７】
図４の実施例に示す各フィールドは、一つのディスクリプタ内で定義されずに、各々別のディスクリプタ内で定義され、また、各々独立的に使われることもできる。例えば、プログラムレベルディスクリプタではｓｔｅｒｅｏＭｏｎｏ_ｓｅｒｖｉｃｅ_ｆｌａｇ、Ｓｔｅｒｅｏｓｃｏｐｉｃ_ｃｏｍｐｏｓｉｔｉｏｎ_ｔｙｐｅが定義され、ストリームレベルディスクリプタではＬＲ_ｆｉｒｓｔ、ＣｏｄｅｃＴｙｐｅが定義される。
【００６８】
図５は、フレーム−コンパーティブルベースのステレオスコピック映像サービスに使われるディスクリプタ構造の他の実施例を概略的に示す図面である。図５は、図４の実施例に示す各フィールドが別のディスクリプタ内で定義される場合の実施例を示す。
【００６９】
図５を参照すると、Ｓｔｅｒｅｐｓｃｏｐｉｃ_ｐｒｏｇｒａｍ_ｄｅｓｃｒｉｐｔｏｒは、現在提供される放送サービスのタイプが２Ｄ(モノスコピック)放送サービスか３Ｄ放送サービスかを指示する情報(ｓｔｅｒｅｏＭｏｎｏ_ｓｅｒｖｉｃｅ_ｆｌａｇ)、映像フォーマットのタイプを示す情報(Ｓｔｅｒｅｏｓｃｏｐｉｃ_ｃｏｍｐｏｓｉｔｉｏｎ_ｔｙｐｅ)、左右映像の位置を示す情報及び/又は現在映像が基準映像か付加映像かを示す情報(ＬＲ_ｆｉｒｓｔ)を含むことができる。
【００７０】
また、Ｆｒａｍｅ_ｐａｃｋｉｎｇ_ｉｄｅｎｔｉｆｉｅｒ_ｄｅｓｃｒｉｐｔｏｒは、ステレオスコピック映像サービスのためのコーデックタイプを示す情報(ＣｏｄｅｃＴｙｐｅ)を含むことができる。
【００７１】
各ディスクリプタは、これに含まれるフィールドの特性によって、図２の実施例に係るＰＭＴ内で各々異なるレベルに位置することができる。例えば、Ｓｔｅｒｅｐｓｃｏｐｉｃ_ｐｒｏｇｒａｍ_ｄｅｓｃｒｉｐｔｏｒは、図２のＰＭＴ構文内で‘イ’部分に位置することができ、この時、Ｓｔｅｒｅｐｓｃｏｐｉｃ_ｐｒｏｇｒａｍ_ｄｅｓｃｒｉｐｔｏｒはプログラムレベルディスクリプタと呼ばれることができる。また、Ｆｒａｍｅ_ｐａｃｋｉｎｇ_ｉｄｅｎｔｉｆｉｅｒ_ｄｅｓｃｒｉｐｔｏｒは、図２のＰＭＴ構文内で‘ロ’部分に位置することができ、この時、Ｆｒａｍｅ_ｐａｃｋｉｎｇ_ｉｄｅｎｔｉｆｉｅｒ_ｄｅｓｃｒｉｐｔｏｒは、ストリームレベルディスクリプタと呼ばれることができる。
【００７２】
前記フィールドは、その特性によって、他のディスクリプタで定義されてもよい。例えば、前記ＬＲ_ｆｉｒｓｔフィールドは、ストリームレベルディスクリプタで定義されてもよい。
【００７３】
図６は、サービス−コンパーティブルベースのステレオスコピック映像サービスに使われるディスクリプタ構造の一実施例を概略的に示す図面である。図６の実施例に係るディスクリプタは、フレーム−コンパーティブル−コンパーティブルベースのステレオスコピック映像サービスのために使われることもでき、これに対する詳細は後述する。
【００７４】
サービス−コンパーティブルベースのステレオスコピック映像サービスで、基準映像ストリームタイプは０×０２(ＭＰＥＧ−２ビデオストリーム)であってもよく、付加映像ストリームタイプは図３の実施例によって０×９１であってもよい。サービス−コンパーティブルベースのステレオスコピック映像サービスは、既存の２Ｄ媒体又は２ＤＴＶ受信装置と互換性を維持することができる。サービス−コンパーティブル方式のサービスが提供される場合、図６の実施例に係るディスクリプタを介して映像の形態、構成などが識別されることができる。
【００７５】
以下、本発明の実施例に係るディスクリプタは、その名称に限定されるものではなく、これと同一又は類似の役割を遂行するディスクリプタは、本発明の権利範囲に属するということができる。また、以下、本発明の実施例で定義されるフィールドは、その名称に限定されるものではなく、同一又は類似の情報を指示するフィールドであれば、本発明の思想に含まれることができる。また、本発明で定義されたフィールドは、全部使われるべきではなく、必要によって、使われてもよく、使われなくてもよい。
【００７６】
図６の実施例を参照すると、ディスクリプタは、現在提供される放送サービスのタイプが２Ｄ(モノスコピック)放送サービスか３Ｄ放送サービスかを指示する情報を含むことができる。一実施例として、前記情報を示すためにディスクリプタ内にｓｔｅｒｅｏＭｏｎｏ_ｓｅｒｖｉｃｅ_ｆｌａｇというフィールドが定義される。
【００７７】
また、ディスクリプタは、ステレオスコピック映像を構成する映像フォーマットのタイプを示す情報を含むことができる。即ち、前記情報によって、サイドバイサイド(ｓｉｄｅ ｂｙ ｓｉｄｅ)、トップアンドダウン(ｔｏｐ ａｎｄ ｄｏｗｎ)及びレフト/ライトビューシーケンス(ｌｅｆｔ/ｒｉｇｈｔ ｖｉｅｗ ｓｅｑｕｅｎｃｅ)などの映像フォーマットのうちいずれの映像フォーマットが使われるかを判別することができる。一実施例として、前記情報を示すためにディスクリプタ内にＳｔｅｒｅｏｓｃｏｐｉｃ_ｃｏｍｐｏｓｉｔｉｏｎ_ｔｙｐｅというフィールドが定義される。
【００７８】
ディスクリプタは、現在ストリームが基準映像に対応するストリームか付加映像に対応するストリームかを示す情報を含むことができる。一実施例として、前記情報を示すためにディスクリプタ内にＬＲ_ｆｉｒｓｔというフィールドが定義される。例えば、ＬＲ_ｆｉｒｓｔの値が１の場合、基準映像を示し、ＬＲ_ｆｉｒｓｔの値が０の場合、付加映像を示すことができる。他の例として、ＬＲ_ｆｉｒｓｔの値が１の場合、左映像が基準映像であることを示すことができ、ＬＲ_ｆｉｒｓｔの値が０の場合、右映像が付加映像であることを示すことができる。
【００７９】
ディスクリプタは、現在ストリームが左映像に対応するストリームか右映像に対応するストリームかを示す情報を含むことができる。一実施例として、前記情報を示すためにディスクリプタ内にＶｉｅｗ_ｉｎｆｏ_ｆｌａｇというフィールドが定義される。
【００８０】
図６の実施例に係るディスクリプタがフレーム−コンパーティブル−コンパーティブルベースのステレオスコピック映像サービスに使われる場合、前記Ｖｉｅｗ_ｉｎｆｏ_ｆｌａｇは、現在ストリームが基準フレーム−コンパーティブルストリームか付加フレーム−コンパーティブルストリームかを指示することができる。
【００８１】
ディスクリプタは、基準映像ストリームに対するＥＳ_ＰＩＤ(Ｅｌｅｍｅｎｔａｒｙ Ｓｔｒｅａｍ Ｐａｃｋｅｔ ＩＤｅｎｔｉｆｉｃａｔｉｏｎ)を示す情報を含むことができる。付加映像ストリームが基準映像と異なる別個のチャネルを介して送信される場合、前記情報は、チャネル間関連関係を示す基準映像のチャネルＩＤを示すこともできる。一実施例として、前記情報を示すためにディスクリプタ内にＤｅｐｅｎｄｅｎｃｙ_ｖｉｅｗ_ＩＤというフィールドが定義される。
【００８２】
ディスクリプタは、符号化及び復号化実行のためのコーデックタイプを示す情報を含むこともできる。ストリームタイプでステレオスコピック映像サービスのためのコーデックタイプが定義されない場合、ディスクリプタにコーデックタイプに関する情報が含まれることができる。図３の実施例で詳述したように、この場合にもストリームタイプはステレオスコピック映像サービスの形態を識別するために使われることができる。前記コーデックタイプに関する情報を示すためにディスクリプタ内にＣｏｄｅｃＴｙｐｅというフィールドが定義される。
【００８３】
図６の実施例に係るディスクリプタは、例えば、図２のＰＭＴ構文内で‘ロ’部分に位置することができる。この時、前記ディスクリプタは、ストリームレベルディスクリプタと呼ばれることもある。本発明の実施例で定義されるディスクリプタは、前述した情報を含みながら多様な形態を有することができ、それぞれの実施例に示す形態に限定されるものではない。
【００８４】
図６の実施例に示す各フィールドは、一つのディスクリプタ内で定義されずに、各々別のディスクリプタ内で定義され、また、各々独立的に使われることもできる。例えば、プログラムレベルディスクリプタではｓｔｅｒｅｏＭｏｎｏ_ｓｅｒｖｉｃｅ_ｆｌａｇ、Ｓｔｅｒｅｏｓｃｏｐｉｃ_ｃｏｍｐｏｓｉｔｉｏｎ_ｔｙｐｅが定義され、ストリームレベルディスクリプタではＬＲ_ｆｉｒｓｔ、Ｖｉｅｗ_ｉｎｆｏ_ｆｌａｇ、Ｄｅｐｅｎｄｅｎｃｙ_ｖｉｅｗ_ＩＤ、ＣｏｄｅｃＴｙｐｅが定義される。
【００８５】
図７は、サービス−コンパーティブルベースのステレオスコピック映像サービスに使われるディスクリプタ構造の他の実施例を概略的に示す図面である。図７は、図６の実施例に示す各フィールドが別のディスクリプタ内で定義される場合の実施例を示す。
【００８６】
図７を参照すると、Ｓｔｅｒｅｐｓｃｏｐｉｃ_ｐｒｏｇｒａｍ_ｄｅｓｃｒｉｐｔｏｒは、現在提供される放送サービスのタイプが２Ｄ(モノスコピック)放送サービスか３Ｄ放送サービスかを指示する情報(ｓｔｅｒｅｏＭｏｎｏ_ｓｅｒｖｉｃｅ_ｆｌａｇ)、映像フォーマットのタイプを示す情報(Ｓｔｅｒｅｏｓｃｏｐｉｃ_ｃｏｍｐｏｓｉｔｉｏｎ_ｔｙｐｅ)、現在ストリームが基準映像に対応するストリームか付加映像に対応するストリームかを示す情報(ＬＲ_ｆｉｒｓｔ)を含むことができる。
【００８７】
また、Ｓｅｒｖｉｃｅ_ｃｏｍｐａｔｉｂｌｅ_ｉｄｅｎｔｉｆｉｅｒ_ｄｅｓｃｒｉｐｔｏｒは、現在ストリームが左映像に対応するストリームか右映像に対応するストリームかを示す情報(Ｖｉｅｗ_ｉｎｆｏ_ｆｌａｇ)、基準映像ストリームに対するＥＳ_ＰＩＤ(Ｅｌｅｍｅｎｔａｒｙ Ｓｔｒｅａｍ Ｐａｃｋｅｔ ＩＤｅｎｔｉｆｉｃａｔｉｏｎ)を示す情報(Ｄｅｐｅｎｄｅｎｃｙ_ｖｉｅｗ_ＩＤ)、ステレオスコピック映像サービスのためのコーデックタイプを示す情報(ＣｏｄｅｃＴｙｐｅ)を含むことができる。
【００８８】
各ディスクリプタは、これに含まれるフィールドの特性によって、図２の実施例に係るＰＭＴ内で各々異なるレベルに位置することができる。例えば、Ｓｔｅｒｅｐｓｃｏｐｉｃ_ｐｒｏｇｒａｍ_ｄｅｓｃｒｉｐｔｏｒは、図２のＰＭＴ構文内で‘イ’部分に位置することができ、この時、Ｓｔｅｒｅｐｓｃｏｐｉｃ_ｐｒｏｇｒａｍ_ｄｅｓｃｒｉｐｔｏｒはプログラムレベルディスクリプタと呼ばれることができる。また、Ｓｅｒｖｉｃｅ_ｃｏｍｐａｔｉｂｌｅ_ｉｄｅｎｔｉｆｉｅｒ_ｄｅｓｃｒｉｐｔｏｒは、図２のＰＭＴ構文内で‘ロ’部分に位置することができ、この時、Ｓｅｒｖｉｃｅ_ｃｏｍｐａｔｉｂｌｅ_ｉｄｅｎｔｉｆｉｅｒ_ｄｅｓｃｒｉｐｔｏｒは、ストリームレベルディスクリプタと呼ばれることができる。
【００８９】
前記フィールドは、その特性によって、他のディスクリプタで定義されてもよい。例えば、前記ＬＲ_ｆｉｒｓｔフィールドは、ストリームレベルディスクリプタで定義されてもよい。
【００９０】
フレーム−コンパーティブル−コンパーティブルベースのステレオスコピック映像サービスで、基準フレーム−コンパーティブルストリームのストリームタイプは、図３の実施例での０×９０であってもよく、付加フレーム−コンパーティブルストリームのストリームタイプは、図３の実施例での０×９１であってもよい。フレーム−コンパーティブル−コンパーティブルベースのステレオスコピック映像サービスは、フレーム−コンパーティブルベースの３Ｄ媒体又は３ＤＴＶ受信機と互換性を維持することができる。フレーム−コンパーティブル−コンパーティブル方式のサービスが提供される場合、図６又は図７の実施例に係るディスクリプタを介して映像の形態、構成などが識別されることができる。
【００９１】
図６の実施例に係るディスクリプタがフレーム−コンパーティブル−コンパーティブルベースのステレオスコピック映像サービスに使われる場合、前記ディスクリプタは、例えば、図２のＰＭＴ構文内で‘ロ’部分に位置することができる。この時、前記ディスクリプタは、ストリームレベルディスクリプタと呼ばれることもある。
【００９２】
図６の実施例に示す各フィールドは、一つのディスクリプタ内で定義されずに、各々別のディスクリプタ内で定義され、また、各々独立的に使われることもできる。
【００９３】
図６の実施例に係るディスクリプタがフレーム−コンパーティブル−コンパーティブルベースのステレオスコピック映像サービスに使われる場合、前記ディスクリプタは、含まれているフィールドの特性によって分離されることができ、分離されたディスクリプタは、図７の実施例と同様に、各々ＰＭＴ構文内で‘イ’及び‘ロ’部分に位置することができる。この時、‘イ’部分に位置したディスクリプタはプログラムレベルディスクリプタと呼ばれ、‘ロ’部分に位置したディスクリプタはストリームレベルディスクリプタと呼ばれることができる。
【００９４】
本発明の実施例で定義されるディスクリプタは、多様な形態を有することができ、それぞれの実施例に示す形態に限定されるものではない。
【００９５】
図６又は図７の実施例によってフレーム−コンパーティブル−コンパーティブルベースのステレオスコピック映像サービスに使われるディスクリプタは、その名称に限定されるものではなく、これと同一又は類似の役割を遂行するディスクリプタは、本発明の権利範囲に属するということができる。また、本発明の実施例で定義されるフィールドは、その名称に限定されるものではなく、同一又は類似の情報を指示するフィールドであれば、本発明の思想に含まれることができる。また、本発明で定義されたフィールドは、全部使われるべきではなく、必要によって、使われてもよく、使われなくてもよい。
【００９６】
図８は、本発明の一実施例に係るステレオスコピック映像情報送信装置を概略的に示すブロック図である。図８は、ステレオスコピック映像情報送信装置８１０及び映像情報受信装置８２０を含む。ステレオスコピック映像情報送信装置８１０は、映像情報生成部８１２及び送信部８１４を含むことができる。
【００９７】
図８を参照すると、映像情報生成部８１２は、シグナリングテーブルを構成することができる。前記シグナリングテーブルでは、映像情報受信装置で映像データを受信して映像を再現するために使われる情報、例えば、プログラムタイプを指示する情報、映像データを構成する符号化ストリームの特性を指示する情報などが定義される。
【００９８】
前記シグナリングテーブルは、ＰＳＩのＰＭＴ、ＰＳＩＰのＶＣＴ及び/又はＰＳＩＰのＥＩＴである。シグナリングテーブルに含まれている各情報は、ＰＭＴのストリームタイプ及び/又はディスクリプタで定義されてもよく、ＶＣＴのストリームタイプ及び/又はディスクリプタで定義されてもよく、ＥＩＴのディスクリプタで定義されてもよい。シグナリングテーブルに含まれるストリームタイプ及びディスクリプタの詳細は、図２乃至図８の実施例で詳述した通りである。
【００９９】
送信部８１４は、映像情報生成部８１２で構成されたシグナリングテーブル情報及び映像データ情報を含む映像情報を映像情報受信装置８２０に送信することができる。映像情報受信装置８２０は、前記映像情報を受信することができ、受信したシグナリングテーブル情報及び映像データ情報に基づいてステレオスコピック映像を再生することができる。
【０１００】
前述した実施例で、方法は一連のステップ又はブロックで順序図に基づいて説明されているが、本発明はステップの順序に限定されるものではなく、あるステップは前述と異なるステップと異なる順序に又は同時に発生することができる。また、当該技術分野において通常の知識を有する者であれば、順序図に示すステップが排他的でなく、他のステップが含まれ、又は順序図の一つ又はそれ以上のステップが本発明の範囲に影響を及ぼさずに削除可能であることを理解することができる。
【０１０１】
前述した実施例は多様な態様の例示を含む。多様な態様を示すための全ての可能な組合せを記述することはできないが、該当技術分野の通常の知識を有する者は、他の組合せが可能であることを認識することができる。従って、本発明は、特許請求の範囲に属する全ての交替、修正及び変更を含む。 
【図１】
2013545344.tif 000004
【図２】
2013545344.tif 000005
【図３】
2013545344.tif 000006
【図８】
2013545344.tif 000007
【図４】
2013545344.tif 000008
【図５】
2013545344.tif 000009
【図６】
2013545344.tif 000010
【図７】
2013545344.tif 000011
【手続補正書】
【提出日】平成25年4月3日(2013.4.3)
【手続補正１】
【補正対象書類名】特許請求の範囲
【補正対象項目名】全文
【補正方法】変更
【補正の内容】
【特許請求の範囲】
【請求項１】
ビデオストリームと前記ビデオストリームを記述するシグナリング情報が多重化されたストリームを受信するステップ；
前記受信されたストリームを前記ビデオストリームとシグナリング情報で逆多重化するステップ；及び、
前記シグナリング情報を利用して前記逆多重化されたビデオストリームを復号するステップ；を含み、
前記シグナリング情報は、ステレオスコピックサービスを提供する前記ビデオストリームのストリームタイプ(ｓｔｒｅａｍ ｔｙｐｅ)情報及び前記ビデオストリームによるサービスのタイプが２Ｄモノスコピックサービスかステレオスコピック３Ｄサービスかを指示するサービスタイプ情報を含むビデオストリーム受信方法。
【請求項２】
前記シグナリング情報は、ＰＳＩのＰＭＴ(Ｐｒｏｇｒａｍ Ｍａｐ Ｔａｂｌｅ)、ＰＳＩＰのＶＣＴ(Ｖｉｒｔｕａｌ Ｃｈａｎｎｅｌ Ｔａｂｌｅ)又はＰＳＩＰのＥＩＴ(Ｅｖｅｎｔ Ｉｎｆｏｒｍａｔｉｏｎ Ｔａｂｌｅ)である請求項１に記載のビデオストリーム受信方法。
【請求項３】
前記サービスのタイプがステレオスコピック３Ｄサービスである場合、基本映像ストリームと付加映像ストリームが各々異なるストリームタイプ情報を有する請求項１に記載のビデオストリーム受信方法。
【請求項４】
前記シグナリング情報は、前記ビデオストリームが基本映像ストリームか付加映像ストリームかを識別する識別情報をさらに含む請求項１に記載のビデオストリーム受信方法。
【請求項５】
前記シグナリング情報は、前記ビデオストリームが左映像ストリームか右映像ストリームかを識別する識別情報をさらに含む請求項１に記載のビデオストリーム受信方法。
【請求項６】
ビデオストリームと前記ビデオストリームを記述するシグナリング情報が多重化されたストリームを受信する受信部；
前記受信されたストリームを前記ビデオストリームとシグナリング情報で逆多重化する逆多重化部；及び、
前記シグナリング情報を利用して前記逆多重化されたビデオストリームを復号する復号部；を含み、
ここで、前記シグナリング情報は、ステレオスコピックサービスを提供する前記ビデオストリームのストリームタイプ(ｓｔｒｅａｍ ｔｙｐｅ)情報及び前記ビデオストリームによるサービスのタイプが２Ｄモノスコピックサービスかステレオスコピック３Ｄサービスかを指示するサービスタイプ情報を含むビデオストリーム受信装置。
【請求項７】
前記シグナリング情報は、ＰＳＩのＰＭＴ(Ｐｒｏｇｒａｍ Ｍａｐ Ｔａｂｌｅ)、ＰＳＩＰのＶＣＴ(Ｖｉｒｔｕａｌ Ｃｈａｎｎｅｌ Ｔａｂｌｅ)又はＰＳＩＰのＥＩＴ(Ｅｖｅｎｔ Ｉｎｆｏｒｍａｔｉｏｎ Ｔａｂｌｅ)である請求項６に記載のビデオストリーム受信装置。
【請求項８】
前記サービスのタイプがステレオスコピック３Ｄサービスである場合、基本映像ストリームと付加映像ストリームが各々異なるストリームタイプ情報を有する請求項６に記載のビデオストリーム受信装置。
【請求項９】
前記シグナリング情報は、前記ビデオストリームが基本映像ストリームか付加映像ストリームかを識別する識別情報をさらに含む請求項６に記載のビデオストリーム受信装置。
【請求項１０】
前記シグナリング情報は、前記ビデオストリームが左映像ストリームか右映像ストリームかを識別する識別情報をさらに含む請求項６に記載のビデオストリーム受信装置。
【国際調査報告】
2013545344.tif 000012
2013545344.tif 000013
2013545344.tif 000014
2013545344.tif 000015